(57)【特許請求の範囲】
【請求項１】
ディスプレイ画面の照度値を取得する照度値取得部と、
前記照度値取得部により取得された前記照度値に基づき、前記ディスプレイ画面の表示画像を制御する表示画像制御部と、
前記ディスプレイ画面周辺に存在する物体と前記ディスプレイ画面との距離を測定する近接物測定部により測定された前記距離が予め定められた閾値以下か否かを判断する距離判断部と、
前記距離が前記閾値以下でないと前記距離判断部が判断した場合、前記照度値の第一の取得方法を前記照度値取得部に適用させ、前記距離が前記閾値以下であると前記距離判断部が判断した場合、前記照度値の第二の取得方法を前記照度値取得部に適用させる照度値取得方法決定部と、
を備え、
前記第一の取得方法は、
予め定められた照度測定感度で算出した値を前記照度値とし、
前記第二の取得方法は、
前記第一の取得方法における照度測定感度よりも高い予め定められた照度測定感度で算出した値を前記照度値とするか、又は、
前記第一の取得方法により算出した値に対してオフセットを付加した値を前記照度値とする
ことの少なくとも一方を適用するものであり、
前記表示画像制御部は、
前記距離が前記閾値以下であると前記距離判断部が判断した場合、
前記距離が前記閾値以下でないと前記距離判断部が判断した場合に前記ディスプレイ画面の表示画像を制御する時間に比べて、前記ディスプレイ画面の表示画像を制御する時間を長くする
ことを特徴とするディスプレイ制御装置。
【請求項２】
請求項１に記載のディスプレイ制御装置と、
前記表示画像制御部から入力された画像信号を表示するディスプレイと、
を備える移動体表示装置。
【請求項３】
照度値取得手段が、ディスプレイ画面の照度値を取得するステップ、
表示画像制御手段が、前記照度値取得手段により取得された前記照度値に基づき、前記ディスプレイ画面の表示画像を制御するステップ、
距離判断手段が、前記ディスプレイ画面周辺に存在する物体と前記ディスプレイ画面との距離を測定する近接物測定手段により測定された前記距離が予め定められた閾値以下か否かを判断するステップ、
照度値取得方法決定手段が、前記距離が前記閾値以下でないと前記距離判断手段が判断した場合、前記照度値の第一の取得方法を前記照度値取得手段に適用させ、前記距離が前記閾値以下であると前記距離判断手段が判断した場合、前記照度値の第二の取得方法を前記照度値取得手段に適用させるステップ
から構成され、
前記第一の取得方法は、
予め定められた照度測定感度で算出した値を前記照度値とし、
前記第二の取得方法は、
前記第一の取得方法における照度測定感度よりも高い予め定められた照度測定感度で算出した値を前記照度値とするか、又は、
前記第一の取得方法により算出した値に対してオフセットを付加した値を前記照度値とする
ことの少なくとも一方を適用するものであり、
前記表示画像制御手段が、
前記距離が前記閾値以下であると前記距離判断手段が判断した場合、
前記距離が前記閾値以下でないと前記距離判断手段が判断した場合に前記ディスプレイ画面の表示画像を制御する時間に比べて、前記ディスプレイ画面の表示画像を制御する時間を長くすることを特徴とするディスプレイ制御方法。
【発明の詳細な説明】
【技術分野】
【０００１】
本発明は、例えば、車両に搭載されるディスプレイ制御装置、移動体表示装置及びディスプレイ制御方法に係り、ディスプレイ画面への照度及びディスプレイ画面に対する近接物の有無に応じてディスプレイ画面の表示画像を制御する技術に関する。
【背景技術】
【０００２】
カーナビゲーション装置等のディスプレイ画面に入射している光の照度から照度値を取得する照度センサーを備え（精度を高めるため、通常、ディスプレイ画面近傍に備えられる）、取得された照度値に応じてディスプレイ画面の表示画像を制御するものがある。例えば、晴天の日中のように太陽光が車内に差し込む状況においてはディスプレイ画面への照度が高くなる（照度値が高くなる）ことからディスプレイ画面の表示画像を明るくし（例えば、輝度を高くする）、夜間のように太陽光が車内に差し込まない状況においてはディスプレイ画面への照度が低くなる（照度値が低くなる）ことからディスプレイ画面の表示画像を暗くする（例えば、輝度を低くする）ことで、ユーザーによるディスプレイ画面の視認性を向上させている。【０００３】
また、ディスプレイ画面に対する近接物の有無を検出する近接センサーを更に備え、照度センサーにより取得された照度値及び近接センサーによる検出結果に応じてディスプレイ画面の表示画像を制御する車両用入力装置が提案されている（特許文献１参照）。具体的には、照度センサーにより日中である（照度値が高い）と判断された場合、近接センサーにより手が接近したと判断されるとディスプレイ画面にタッチ操作用の入力部を表示させ、手が離れてから所定時間が経過するとタッチ操作用の入力部を消滅させる。また、照度センサーにより夜間である（照度値が低い）と判断された場合、近接センサーにより手が接近していないと判断されるとタッチ操作用の入力部を薄っすらと表示し、手が接近していると判断されるとタッチ操作用の入力部を濃く表示することで、ユーザーの操作性（視認性）を向上させている。
【先行技術文献】
【特許文献】
【０００４】
【特許文献１】特開２００７―３０２２１５号公報（第１４頁、第１図）
【発明の概要】
【発明が解決しようとする課題】
【０００５】
上記した従来のディスプレイ画面を備えたカーナビゲーション装置等（ディスプレイ制御装置）では、ディスプレイ画面上や周辺に配置された入力部を操作しようと手を近づけた際に手の影により照度センサーへの照度が低下し、ディスプレイ画面への照度には変化がないためディスプレイ画面の表示画像を変更する（例えば、暗くする）必要がないにもかかわらずディスプレイ画面の表示画像を変更してしまい（例えば、暗くしてしまう）、ユーザーに違和感を与えてしまうという問題があった。【０００６】
同様に、上記した照度センサー及び近接センサーを備える車両用入力装置（ディスプレイ制御装置）では、日中において、ディスプレイ画面上に配置されたタッチ操作用の入力部を操作しようと手を近づけた際に手の影により照度センサーへの照度が低下し、ディスプレイ画面への照度には変化がないにもかかわらず、タッチ操作用の入力部が非表示から薄っすらとした表示に変わり、一連の動作で更に手を近づけることによりタッチ操作用の入力部が薄っすらとした表示から濃い表示へと変わり、ユーザーがディスプレイ画面を視認している際に違和感を与えてしまうという問題があった。【０００７】
本発明は上記した問題点を解決するためになされたものであり、ディスプレイ画面に対する近接物の有無に応じてディスプレイ画面に対する照度値の取得方法を決定し、取得された照度値に基づいてディスプレイ画面の表示画像を制御することで、ユーザーがディスプレイ画面を視認している際の違和感を低減することが可能なディスプレイ制御装置、移動体表示装置及びディスプレイ制御方法を提供することを目的とする。
【課題を解決するための手段】
【０００８】
本発明に係るディスプレイ制御装置は、ディスプレイ画面の照度値を取得する照度値取得部と、照度値取得部により取得された照度値に基づき、ディスプレイ画面の表示画像を制御する表示画像制御部と、ディスプレイ画面周辺に存在する物体とディスプレイ画面との距離を測定する近接物測定部により測定された距離が予め定められた閾値以下か否かを判断する距離判断部と、距離が閾値以下でないと距離判断部が判断した場合、照度値の第一の取得方法を照度値取得部に適用させ、距離が閾値以下であると距離判断部が判断した場合、照度値の第二の取得方法を照度値取得部に適用させる照度値取得方法決定部とを備える。
第一の取得方法は、予め定められた照度測定感度で算出した値を照度値とし、第二の取得方法は、第一の取得方法における照度測定感度よりも高い予め定められた照度測定感度で算出した値を照度値とするか、又は、第一の取得方法により算出した値に対してオフセットを付加した値を照度値とすることの少なくとも一方を適用するものであり、表示画像制御部は、距離が閾値以下であると距離判断部が判断した場合、距離が閾値以下でないと距離判断部が判断した場合にディスプレイ画面の表示画像を制御する時間に比べて、ディスプレイ画面の表示画像を制御する時間を長くする。
【発明の効果】
【０００９】
上記のように構成されたディスプレイ制御装置は、ディスプレイ画面に対する近接物の有無に応じてディスプレイ画面に対する照度値の取得方法を決定し、取得された照度値に基づいてディスプレイ画面の表示画像を制御することで、ユーザーがディスプレイ画面を視認している際の違和感を低減することができるという効果を有する。
【図面の簡単な説明】
【００１０】
【図１】本発明の実施の形態１におけるディスプレイ制御装置を含む電子機器のＨ／Ｗ構成例である。
【図２】本発明の実施の形態１におけるディスプレイ制御装置を含む電子機器のブロック図である。
【図３】本発明の実施の形態１におけるディスプレイ制御装置を含む電子機器の動作を示すフローチャートである。
【図４】本発明の実施の形態２におけるディスプレイ制御装置を含む電子機器の動作を示すフローチャートである。
【図５】本発明の実施の形態２の変形例１におけるディスプレイ制御装置を含む電子機器の動作を示すフローチャートである。
【図６】本発明の実施の形態２の変形例２におけるディスプレイ制御装置を含む電子機器の動作を示すフローチャートである。
【図７】本発明の実施の形態３におけるディスプレイ制御装置を含む電子機器の特徴的な動作を示すフローチャートである。
【発明を実施するための形態】
【００１１】
以下、本発明の実施の形態について図面を参照しつつ説明する。
【００１２】
実施の形態１．
本発明の実施の形態１におけるディスプレイ制御装置について図１、図２及び図３を用いて説明する。
図１は本発明の実施の形態１におけるディスプレイ制御装置を含む電子機器のＨ／Ｗ構成例であり、図１（ａ）は車両の座席側からダッシュボード方向を見た概略図、図１（ｂ）はディスプレイ５、近接センサー６及び照度センサー７を図１（ａ）のＡ方向から見た概略図、図１（ｃ）は各Ｈ／Ｗの接続関係を示す図である。
図１（ａ）を用いて、実施の形態１におけるディスプレイ制御装置を含む電子機器の配置について説明する。ダッシュボード９に情報機器４、ディスプレイ５、ディスプレイ制御基板１（図示せず）、近接センサー６及び照度センサー７が配置されるが、配置位置はこれに限らず、例えば、情報機器４とディスプレイ５が一体化されていてもよく、更に、タッチパネル式ディスプレイを用いることで情報機器４の操作ボタン（ハードウェアボタン）をディスプレイ５のディスプレイ画面５ａ上に配してもよい（ソフトウェアボタン）。また、情報機器４は、車載機器に限らず、携帯電話等の移動体端末であり、ＵＳＢケーブルといった有線でディスプレイ制御基板１と接続させてもよく、Ｂｌｕｅｔｏｏｔｈ（登録商標）といった無線でディスプレイ制御基板１と接続させてもよい。
【００１３】
図１（ｃ）を用いて、実施の形態１におけるディスプレイ制御装置を含む電子機器の動作について説明する。
近接センサー６は、ディスプレイ画面５ａの周辺に存在する物体とディスプレイ画面５ａとの距離（以後、「測定距離」という）を測定し、ディスプレイ制御基板１へ出力する。ここで、測定距離は、図１（ｂ）の例では、手１６とディスプレイ画面５ａとの距離Ｄとなる。
照度センサー７は、ディスプレイ画面５ａに入射される光の照度に対する照度値を算出することを目的としており、ディスプレイ画面５ａの近くに配置されることが好ましく、照度センサー７に入射される光の照度から照度値を算出し、ディスプレイ制御基板１へ出力する。例えば、照度センサー７に入射される光の照度をｘ、照度センサー７の照度測定感度をａ１（例えば、ａ１＝１．０）とすると、照度センサー７により算出される照度値ｙ１は式（１）となるが、これに限らず、式（２）又は式（３）といった関係であってもよい。尚、式（２）におけるａ１（ｘ）はｘの関数であることを意味している。以後、式（１）を用いた場合として説明する。
【００１４】
（数１）
ｙ１＝ａ１・ｘ  …式（１）
【００１５】
（数２）
ｙ１＝ａ１（ｘ）・ｘ  …式（２）
【００１６】
（数３）
ｙ１＝ａ１・ｘ・ｘ  …式（３）
【００１７】
ディスプレイ制御基板１は、ＣＰＵ２及びメモリ３により構成され、取得した照度値に基づいて、情報機器４から入力された画像信号の輝度を調整してディスプレイ５へ出力する。例えば、ディスプレイ画面５ａに表示されている表示画像に対するユーザーの視認性が高くなるように、取得した照度値が高い場合は画像信号の輝度を高くし、取得した照度値が低い場合は画像信号の輝度を低くする。尚、上述では、画像信号の輝度を調整するとしたが、γ値を変更する等により画像信号を変更するようにしてもよい。
【００１８】
ディスプレイ５は、ディスプレイ制御基板１から入力された画像信号をディスプレイ画面５ａに表示する。
【００１９】
ここで、ユーザーがディスプレイ画面５ａ上の操作ボタンを操作しようと手等を近づけることで照度センサー７が手等の影に入ってしまうと、照度センサー７はディスプレイ画面５ａに入射されている光の照度に対する照度値よりも低い値を算出してしまい、この照度値に基づいてディスプレイ画面５ａに表示する画像信号を制御すると、ディスプレイ画面５ａの表示画像を変更する（例えば、輝度を低くする）必要がないにもかかわらず、表示画像を変更してしまい（例えば、輝度を低くしてしまう）、ユーザーがディスプレイ画面５ａを視認している際に違和感を与えてしまう。これに対して、本実施の形態１におけるディスプレイ制御装置では、近接センサー６で測定した測定距離に応じて照度値の取得方法を決定することでユーザーがディスプレイ画面５ａを視認している際の違和感を低減する。照度値の取得方法については、図２及び図３の説明において詳述する。
【００２０】
図２は本発明の実施の形態１におけるディスプレイ制御装置を含む電子機器のブロック図である。
近接物測定部１０は、近接センサー６により構成される。近接センサー６は、ディスプレイ画面５ａの周辺に存在する物体とディスプレイ画面５ａとの距離を測定し、距離判断部１１へ出力する。尚、近接センサー６の測定範囲内に物体が存在しない場合は、ヌル値といった予め定めた値を出力する。以後、ヌル値を出力するものとして説明する。
【００２１】
距離判断部１１は、ディスプレイ制御基板１のＣＰＵ２及びメモリ３により構成される。ＣＰＵ２は、近接物測定部１０から入力された測定距離とメモリ３に記憶されている閾値とを比較し、測定距離が閾値以下であるか否かを判断し、照度値取得方法決定部１２へ出力する。ここで、測定距離がヌル値の場合は、測定距離が閾値以下でないと判断する。
尚、手等の物体をディスプレイ画面５ａに近づけた際に、照度センサー７が当該物体の影に入るようになる当該物体とディスプレイ画面５ａとの距離を閾値として設定しておくとよい。また、メモリ３に記憶する閾値は、ユーザーの好みにより変更できるようにしてもよい。
ここで、近接センサー６として、例えば、放射した赤外線が物体に反射して受光されるまでの時間から物体との距離を算出する赤外線センサーもあれば、放射した赤外線が物体に反射して受光された光量から近接物の有無を判断する赤外線センサーもある。後者の赤外線センサーの場合も、近接物が予め定められた距離内に存在するかを判断するにあたり受光された光量から物体との距離を算出していることになる。
【００２２】
照度値取得方法決定部１２は、ディスプレイ制御基板１のＣＰＵ２により構成される。ＣＰＵ２は、距離判断部１１から入力された判断結果に応じて照度値の取得方法を決定し、照度値取得部１３へ出力する。つまり、測定距離が閾値以下でないとの判断結果の場合は第一の取得方法とし、測定距離が閾値以下であるとの判断結果の場合は第二の取得方法とする。
【００２３】
照度値算出部１５は、照度センサー７により構成される。照度センサー７は、照度センサー７に入射される光の照度から照度値を算出し、照度値取得部１３へ出力する。
【００２４】
照度値取得部１３は、ディスプレイ制御基板１のＣＰＵ２及びメモリ３により構成される。ＣＰＵ２は、照度値取得方法決定部１２から入力された取得方法が第一の取得方法であれば、照度値算出部１５から入力された照度値を表示画像制御部１４へ出力するとともにメモリ３に記憶させる。また、ＣＰＵ２は、照度値取得方法決定部１２から入力された取得方法が第二の取得方法であれば、メモリ３に記憶された照度値を表示画像制御部１４へ出力する。但し、ディスプレイ制御装置の電源投入直後のようにメモリ３に照度値が記憶されていない場合は、第一の取得方法を適用すればよいが、これに限らない。例えば、予め定められた値を表示画像制御部１４へ出力するとともにメモリ３に記憶させてもよい。
【００２５】
表示画像制御部１４は、ディスプレイ制御基板１のＣＰＵ２により構成される。ＣＰＵ２は、照度値取得部１３から入力された照度値に基づいて、情報機器４から入力された画像信号の輝度を調整したり、γ値を変更したりして、ディスプレイ５へ出力する。
【００２６】
ディスプレイ制御装置は、距離判断部１１、照度値取得方法決定部１２、照度値取得部１３及び表示画像制御部１４により構成される。従って、上記の構成においては、ディスプレイ制御装置は、ディスプレイ制御基板１により構成されることになる。
【００２７】
尚、各ブロックは、同様の機能を有すれば上記の構成に限るものではなく、例えば、距離判断部１１が、近接センサー６に搭載されたＣＰＵ及びメモリにより構成されてもよいし、照度値取得部１３が、照度センサー７に搭載されたＣＰＵ及びメモリにより構成されてもよい。この場合、ディスプレイ制御装置は、ディスプレイ制御基板１と近接センサー６又は照度センサー７の少なくとも１つにより構成されることになる。
【００２８】
また、移動体表示装置は、ディスプレイ制御装置及びディスプレイ５により構成される。これは、本発明が、移動体に搭載された表示装置の表示画面（ディスプレイ画面５ａ）を視認している際に生じる違和感を低減するものであって、ディスプレイ制御装置により表示画面へ表示する画像を制御した上で表示画面に表示させるものであることによる。尚、移動体表示装置は、ディスプレイ制御装置とディスプレイ５が別体になっていても一体になっていても同様の機能を有すれば、任意の構成をとることができる。
【００２９】
次に、フローチャートを用いて本実施の形態１におけるディスプレイ制御装置の動作について詳しく説明する。図３は本発明の実施の形態１におけるディスプレイ制御装置を含む電子機器の動作を示すフローチャートである。
【００３０】
ディスプレイ制御装置の電源がＯＮ状態になると動作を開始する。（ステップＳＴ１）
ステップＳＴ２では、近接物測定部１０により、ディスプレイ画面５ａの周辺に存在する手等の物体とディスプレイ画面５ａとの距離を測定し、ステップＳＴ３へ進む。
【００３１】
ステップＳＴ３では、距離判断部１１により、ステップＳＴ２で測定した距離が予め定められた閾値以下でないと判断されると、照度値取得方法決定部１２により、照度値の取得方法として第一の取得方法を適用すると決定され、ステップＳＴ４へ進む。同様に、距離判断部１１により、ステップＳＴ２で測定した距離が予め定められた閾値以下であると判断されると、照度値取得方法決定部１２により、照度値の取得方法として第二の取得方法を適用すると決定され、ステップＳＴ５へ進む。
【００３２】
ステップＳＴ４では、照度値取得部１３が、照度値算出部１５により算出された照度値を取得し、ステップＳＴ６へ進む。
ステップＳＴ６では、ステップＳＴ４で取得された照度値を記憶し、ステップＳＴ７へ進む。
ステップＳＴ５では、照度値取得部１３が、ステップＳＴ６にて記憶した照度値を取得し、ステップＳＴ７へ進む。尚、電源がＯＮ状態になってからステップＳＴ６が一度も実施されず、ステップＳＴ５に到達した場合は、ステップＳＴ４及びステップＳＴ６を実施するものとする。
【００３３】
ステップＳＴ７では、表示画像制御部１４が、ステップＳＴ４又はステップＳＴ５において取得された照度値に基づいて情報機器４から入力された画像信号の輝度を調整したり、γ値を変更したりする等によりディスプレイ画面５ａに表示される表示画像を制御し、ステップＳＴ２へ進む。
【００３４】
以上述べたように、この実施の形態１にて示したディスプレイ制御装置にあっては、手等の物体をディスプレイ画面５ａに近づけた際に、照度センサー７が当該物体の影に入ることで照度センサー７に入射される光の照度が下がっても、表示画像制御部１４へ入力される照度値が変更されないようにすることで、表示画像制御部１４に入力される照度値をより適切なものにすることができる。
つまり、この実施の形態１にて示したディスプレイ制御装置にあっては、ディスプレイ画面５ａに対する近接物の有無に応じてディスプレイ画面５ａに対する照度値の取得方法を決定し、取得された照度値に基づいてディスプレイ画面５ａの表示画像を制御することで、ユーザーがディスプレイ画面５ａを視認している際の違和感を低減することができるという効果を有する。
【００３５】
また、近接物測定部１０、照度値算出部１５、情報機器４及びディスプレイ５は、既存の電子機器と同様の構成であり、距離判断部１１、照度値取得方法決定部１２、照度値取得部１３及び表示画像制御部１４は、ＣＰＵ２及びメモリ３から構成されることから既存のディスプレイ制御基板１にプログラムをダウンロードさせることで動作可能であり、全体として既存の電子機器で構成することができるという効果を有する。
【００３６】
実施の形態２．
本発明の実施の形態２におけるディスプレイ制御装置について図４を用いて説明する。尚、図４において、図３と同一符号は同一又は相当部分を示す。実施の形態１では、手等の物体をディスプレイ画面５ａに近づけた際に、照度センサー７が当該物体による影に入る程度に近づいていると、表示画像制御部１４に入力される照度値が変更されないようにするが、そのタイミングで車両がトンネル内に入ると、ディスプレイ画面５ａに入射される光の照度が大きく低下するのに合わせてディスプレイ画面５ａの表示画像の輝度等を変更する必要があるにもかかわらず、表示画像がそのままとなりユーザーに違和感を与えてしまう（特に、日中）。そこで、実施の形態２では、照度値を取得する第二の取得方法として、第一の取得方法よりも照度測定感度を高くして照度値を取得する。以下、実施の形態１と異なる動作について説明する。
【００３７】
図４は本発明の実施の形態２におけるディスプレイ制御装置を含む電子機器の動作を示すフローチャートである。上述したように、照度値の取得方法が実施の形態１と異なり、具体的にはステップＳＴ９の動作が異なる。ステップＳＴ８については、便宜上、実施の形態１のステップＳＴ４とは異なる表現を用いているが、動作内容は同一であり、第一の取得方法における照度測定感度を通常の照度測定感度と定義する。
【００３８】
ステップＳＴ３において、照度値取得方法決定部１２により、照度値の取得方法として第二の取得方法を適用すると決定されるとステップＳＴ９へ進むが、ステップＳＴ９では、通常よりも高い照度測定感度に設定して算出された照度値を取得し、ステップＳＴ７へ進む。つまり、ステップＳＴ８では、式（１）により算出された照度値を取得するが、ステップＳＴ９では、照度測定感度を通常のａ１よりも高いａ２として式（４）により算出された照度値を取得する。（例えば、ａ１＝１．０、ａ２＝１．５）
【００３９】
（数４）
ｙ１＝ａ２・ｘ  …式（４）
【００４０】
ここで、照度値算出部１５で算出し、照度値取得部１３に入力される照度値は通常の照度測定感度ａ１に設定して算出されたものであるので、照度値取得部１３では、照度値取得方法決定部１２から入力された取得方法が第二の取得方法であれば、照度値算出部１５から入力された照度値に対してａ１で除算し、かつ、ａ２で乗算することで、疑似的に照度測定感度を高めて照度値を取得する。尚、照度値取得部１３を照度センサー７に搭載されたＣＰＵにより構成されるようにし、上記と同様に疑似的に照度測定感度を高めて照度値を取得するようにしてもよい。また、照度値算出部１５の照度測定感度を設定変更可能な照度センサーであれば、照度値取得部１３が照度値取得方法決定部１２から入力された取得方法に応じて照度値算出部１５の照度測定感度を設定するよう照度値算出部１５へ指示するようにしてもよい。
【００４１】
以上述べたように、この実施の形態２にて示したディスプレイ制御装置にあっては、手等の物体をディスプレイ画面５ａに近づけた際に、照度センサー７が当該物体の影に入ることで照度センサー７に入射される光の照度が下がっても、照度測定感度を通常よりも高くすることで表示画像制御部１４に入力される照度値の低減を抑えることができる。従って、ディスプレイ画面５ａに入射されている照度に対応した照度値を取得することができる。これにより、実施の形態２にて示したディスプレイ制御装置にあっては、実施の形態１におけるディスプレイ制御装置と同様の効果を有し、ユーザーがディスプレイ画面５ａを視認している際の違和感をより低減することができるという効果を有する。
【００４２】
実施の形態２の変形例１．
本発明の実施の形態２の変形例１におけるディスプレイ制御装置について図５を用いて説明する。図５において、図４と同一符号は同一又は相当部分を示す。照度値を取得する第二の取得方法として、実施の形態２では、第一の取得方法よりも照度測定感度を高くして照度値を取得するのに対して、実施の形態２の変形例１では、第一の取得方法と同一の照度測定感度で算出した照度値に対して補正値であるオフセットを付加した値を照度値として取得する。以下、実施の形態２と異なる動作について説明する。
【００４３】
図５は本発明の実施の形態２の変形例１におけるディスプレイ制御装置を含む電子機器の動作を示すフローチャートである。上述したように、照度値の第二の取得方法が実施の形態２と異なり、具体的にはステップＳＴ１０の動作が異なる。
【００４４】
ステップＳＴ３において、照度値取得方法決定部１２により、照度値の取得方法として第二の取得方法を適用すると決定されるとステップＳＴ１０へ進むが、ステップＳＴ１０では、通常の照度測定感度に設定して算出された照度値にオフセットであるδ（例えば、δ＝１．０）を付加した値を取得し、ステップＳＴ７へ進む。つまり、ステップＳＴ８では、式（１）により算出された照度値を取得するが、ステップＳＴ１０では、式（５）により算出された照度値を取得する。
【００４５】
（数５）
ｙ１＝ａ１・ｘ＋δ  …式（５）
【００４６】
ここで、照度値算出部１５で算出し、照度値取得部１３に入力される照度値にはオフセットは付加されていないので、照度値取得部１３では、照度値取得方法決定部１２から入力された取得方法が第二の取得方法であれば、照度値算出部１５から入力された照度値に対してδを加算した照度値を取得する。尚、照度値取得部１３を照度センサー７に搭載されたＣＰＵにより構成されるようにし、上記と同様にオフセットを付加して照度値を取得するようにしてもよい。また、照度値算出部１５においてオフセット付加の有無を設定変更可能な照度センサーであれば、照度値取得部１３が照度値取得方法決定部１２から入力された取得方法に応じて照度値算出部１５においてオフセット付加するか否かを設定するよう照度値算出部１５へ指示するようにしてもよい。
【００４７】
以上述べたように、この実施の形態２の変形例１にて示したディスプレイ制御装置にあっては、手等の物体をディスプレイ画面５ａに近づけた際に、照度センサー７が当該物体の影に入ることで照度センサー７に入射される光の照度が下がっても、オフセットを付加することで表示画像制御部１４に入力される照度値の低減を抑えることができる。従って、ディスプレイ画面５ａに入射されている照度に対応した照度値を取得することができる。これにより、実施の形態２の変形例１にて示したディスプレイ制御装置にあっては、実施の形態１におけるディスプレイ制御装置と同様の効果を有し、ユーザーがディスプレイ画面５ａを視認している際の違和感をより低減することができるという効果を有する。
【００４８】
実施の形態２の変形例２．
本発明の実施の形態２の変形例２におけるディスプレイ制御装置について図６を用いて説明する。図６において、図４又は図５と同一符号は同一又は相当部分を示す。照度値を取得する第二の取得方法として、実施の形態２では、第一の取得方法よりも照度測定感度を高くして照度値を取得し、実施の形態２の変形例１では、第一の取得方法と同一の照度測定感度で算出した照度値に対してオフセットを付加した値を照度値として取得するのに対して、実施の形態２の変形例２では、第一の取得方法よりも照度測定感度を高くして算出した照度値に対してオフセットを付加した値を照度値として取得する。つまり、実施の形態２及び実施の形態２の変形例１の第二の取得方法を適用するものである。以下、実施の形態２と異なる動作について説明する。
【００４９】
図６は本発明の実施の形態２の変形例２におけるディスプレイ制御装置を含む電子機器の動作を示すフローチャートである。上述したように、照度値の第二の取得方法が実施の形態２と異なり、具体的にはステップＳＴ１１の動作が異なる。
【００５０】
ステップＳＴ３において、照度値取得方法決定部１２により、照度値の取得方法として第二の取得方法を適用すると決定されるとステップＳＴ１１へ進むが、ステップＳＴ１１では、通常よりも高い照度測定感度に設定して算出された照度値にオフセットを付加した値を取得し、ステップＳＴ７へ進む。つまり、ステップＳＴ８では、式（１）により算出された照度値を取得するが、ステップＳＴ１１では、式（６）により算出された照度値を取得する。
【００５１】
（数６）
ｙ１＝ａ２・ｘ＋δ  …式（６）
【００５２】
ここで、照度値算出部１５で算出し、照度値取得部１３に入力される照度値は通常の照度測定感度ａ１に設定して算出されたものであるので、照度値取得部１３では、照度値取得方法決定部１２から入力された取得方法が第二の取得方法であれば、照度値算出部１５から入力された照度値に対してａ１で除算し、かつ、ａ２で乗算した後にδを加算した照度値を取得する。尚、照度値取得部１３を照度センサー７に搭載されたＣＰＵにより構成されるようにし、上記と同様に疑似的に照度測定感度を高めて照度値を取得し、更にオフセットを付加して照度値を取得するようにしてもよい。また、照度値算出部１５の照度測定感度及びオフセット付加の有無を設定変更可能な照度センサーであれば、照度値取得部１３が照度値取得方法決定部１２から入力された取得方法に応じて照度値算出部１５の照度測定感度及びオフセット付加するか否かを設定するよう照度値算出部１５へ指示するようにしてもよい。
【００５３】
以上述べたように、この実施の形態２の変形例２にて示したディスプレイ制御装置にあっては、手等の物体をディスプレイ画面５ａに近づけた際に、照度センサー７が当該物体の影に入ることで照度センサー７に入射される光の照度が下がっても、照度測定感度を通常よりも高くし、かつ、オフセットを付加することで表示画像制御部１４に入力される照度値の低減を抑えることができる。従って、ディスプレイ画面５ａに入射されている照度に対応した照度値を取得することができる。これにより、実施の形態２の変形例２にて示したディスプレイ制御装置にあっては、実施の形態１におけるディスプレイ制御装置と同様の効果を有し、ユーザーがディスプレイ画面５ａを視認している際の違和感をより低減することができるという効果を有する。
【００５４】
実施の形態３．
本発明の実施の形態３におけるディスプレイ制御装置について図２、図４、図５、図６及び図７を用いて説明する。実施の形態２（変形例も含む）では、手等の物体をディスプレイ画面５ａに近づけた際に、照度センサー７が当該物体の影に入ることで表示画像制御部１４に入力される照度値が変化し、結果的にディスプレイ画面５ａの表示画像が変更されてしまう。つまり、ユーザーがディスプレイ画面５ａを視認している際の違和感を低減できるが、十分ではない場合がある。そこで、実施の形態３では、実施の形態２におけるディスプレイ制御装置と同様に照度値を取得する場合において前述の違和感を低減すべく、距離判断部１１による判断結果に応じて表示画像制御部１４における画像信号の制御方法を変更する。つまり、実施の形態２（変形例含む）におけるディスプレイ制御装置の動作を示すフローチャートである図４、図５又は図６において、ステップＳＴ７の動作を異なるものにしたものである。以下、実施の形態２と異なる動作について説明する。
【００５５】
実施の形態３におけるディスプレイ制御装置を含む電子機器のブロック図は、図２に示す実施の形態１におけるブロック図と同様であるが（実施の形態２におけるブロック図も実施の形態１におけるブロック図と同様である）、距離判断部１１の判断結果が照度値取得方法決定部１２及び照度値取得部１３を経由して表示画像制御部１４へ入力され、表示画像制御部１４は、照度値取得部１３から入力された距離判断部１１の判断結果に応じて、情報機器４から入力された画像信号を制御し、ディスプレイ５へ出力する。また、表示画像制御部１４は、ディスプレイ制御基板１のＣＰＵ２に加えメモリ３により構成される。
【００５６】
次に、フローチャートを用いて実施の形態３におけるディスプレイ制御装置の動作について詳しく説明する。図７は本発明の実施の形態３におけるディスプレイ制御装置を含む電子機器の特徴的な動作を示すフローチャートである。上述したように、実施の形態３におけるディスプレイ制御装置の動作は、照度値を取得するステップまでは実施の形態２（変形例含む）と同様であり、ステップＳＴ７の動作が図７となる。
【００５７】
ステップＳＴ８、ステップＳＴ９、ステップＳＴ１０又はステップＳＴ１１により照度値が取得されると、ステップＳＴ１２へ進む。
ステップＳＴ１２では、表示画像制御部１４が、照度値取得部１３から入力された距離判断部１１における判断結果に応じて動作する。つまり、測定距離が予め定められた閾値以下でないとの判断結果であればステップＳＴ１３へ進み、測定距離が予め定められた閾値以下であるとの判断結果であればステップＳＴ１４へ進む。
【００５８】
ステップＳＴ１３では、表示画像制御部１４が、ステップＳＴ８において取得された照度値に基づいて情報機器４から入力された画像信号の輝度を調整したり、γ値を変更したりする等によりディスプレイ画面５ａに表示される表示画像の画像信号を決定し（以後、決定された表示画像を「決定表示画像１」とする）、予め決められたｔ１秒間でディスプレイ画面５ａに表示される表示画像を決定表示画像１に遷移させ、ステップＳＴ２へ進む。尚、本ステップにおけるディスプレイ画面５ａの表示画像を制御する時間を通常の制御時間と定義する。
【００５９】
ステップＳＴ１４では、表示画像制御部１４が、ステップＳＴ９、ステップＳＴ１０又はステップＳＴ１１において取得された照度値に基づいて情報機器４から入力された画像信号の輝度を調整したり、γ値を変更したりする等によりディスプレイ画面５ａに表示される表示画像の画像信号を決定し（以後、決定された表示画像を「決定表示画像２」とする）、予め決められたｔ２秒間でディスプレイ画面５ａに表示される表示画像を決定表示画像２に遷移させ、ステップＳＴ２へ進む。
ここで、ｔ１及びｔ２はメモリ３に記憶されており、ｔ１＜ｔ２の関係にある。
【００６０】
尚、ステップＳＴ１３及びステップＳＴ１４において、画面遷移時間をそれぞれｔ１、ｔ２と固定にしたが、これを定速遷移とし、それぞれｖ１、ｖ２の定速で遷移するものとしてもよい。ここで、ｖ１及びｖ２はメモリ３に記憶されており、ｖ１＞ｖ２の関係にある。これにより、画面遷移時間を固定とした場合と同様に、ステップＳＴ１４の方がステップＳＴ１３よりも表示画像の遷移時間が長くなる。
【００６１】
また、ステップＳＴ１３及びステップＳＴ１４において、画面遷移時間をそれぞれｔ１、ｔ２と固定にするが、画面遷移速度は定速ではなく、画面遷移完了間近に減速させるようにしてもよい。これにより、ユーザーがディスプレイ画面５ａを視認している際の違和感をより低減することができる。
【００６２】
以上述べたように、この実施の形態３にて示したディスプレイ制御装置は、実施の形態２（変形例含む）におけるディスプレイ制御装置と同様の効果を有する。
【００６３】
更に、手等の物体をディスプレイ画面５ａに近づけた際に、照度センサー７が当該物体の影に入ることで表示画像制御部１４に入力される照度値が変化することで、ディスプレイ画面５ａの表示画像が変更されてしまい、ユーザーがディスプレイ画面５ａを視認している際に違和感を与えてしまう場合があるが、表示画像の遷移時間を長くすることで違和感をより低減することができるという効果を有する。
【００６４】
以上、車両搭載機器において本発明のディスプレイ制御装置、移動体表示装置及びディスプレイ制御方法を説明したが、本発明はこれに限定されるものではなく、航空機、電車等といった移動体に搭載された機器におけるものであってもよい。また、各部の構成は、同様の機能を有する任意の構成のものに置き換えてもよい。例えば、近接センサー６はカメラによる画像認識により置き換えてもよい。
【符号の説明】
【００６５】
１  ディスプレイ制御基板、  ２  ＣＰＵ、  ３  メモリ、  ４  情報機器、  ５  ディスプレイ、  ５ａ  ディスプレイ画面、  ６  近接センサー、  ７  照度センサー、  ８  ハンドル、  ９  ダッシュボード、  １０  近接物測定部、  １１  距離判断部、  １２  照度値取得方法決定部、  １３  照度値取得部、  １４  表示画像制御部、  １５  照度値算出部、  １６  手。
【図１】
0006725181.tif 000002
【図２】
0006725181.tif 000003
【図３】
0006725181.tif 000004
【図４】
0006725181.tif 000005
【図５】
0006725181.tif 000006
【図６】
0006725181.tif 000007
【図７】
0006725181.tif 000008